(57)【要約】【課題】レンズカバーの高温化を防止するプロジェクタ装置及びプロジェクタ装置の制御方法を提供すること。【解決手段】ランプ１６からの光を映像信号に応じて変調する光学エンジン１８と、光学エンジン１８から出射される光学像を投射する投射レンズ２０と、投射レンズ２０の光路がレンズカバー２１で遮られているか否かを検出する開閉検出回路２２と、光路が遮られていることを開閉検出回路２２が検出すると、光路がレンズカバーで遮られてからの経過時間を測定するタイマ１１ａと、タイマ１１ａが測定する経過時間が所定の時間以上となった場合に電源をオフするシステム制御部１１と、を備えるプロジェクタ装置。【選択図】      図３
2009042677.tif 000002
【特許請求の範囲】
【請求項１】
光源からの光を映像信号に応じて変調する光変調手段と、
前記光変調手段から出射される光学像を投射する投射レンズと、
前記投射レンズの光路がレンズカバーで遮られているか否かを検出する検出手段と、
前記光路が遮られていることを前記検出手段が検出すると、前記光路がレンズカバーで遮られてからの経過時間を測定する時間測定手段と、
前記時間測定手段が測定する経過時間が所定の時間以上となった場合に電源をオフする電源制御手段と、
を備えるプロジェクタ装置。
【請求項２】
前記時間測定手段が測定する経過時間が所定の時間以上となった場合に、ユーザに通知する通知手段、を更に備える請求項１に記載のプロジェクタ装置。
【請求項３】
前記時間測定手段が測定する経過時間が所定の時間以上となった場合に、前記通知手段は警告音を発生する、請求項２に記載のプロジェクタ装置。
【請求項４】
前記時間測定手段は、前記投射レンズの光路がレンズカバーで遮られていることを前記検出手段が検出すると前記経過時間の測定を開始し、前記投射レンズの光路がレンズカバーで遮られていないことを前記検出手段が検出すると前記経過時間の測定を終了する、請求項１に記載のプロジェクタ装置。
【請求項５】
前記通知手段は、前記光路がレンズカバーで遮られていることを前記検出手段が検出した場合に、ユーザに通知する、請求項２に記載のプロジェクタ装置。
【請求項６】
光源からの光を映像信号に応じて変調する光変調手段と、前記光変調手段から出射される光学像を投射する投射レンズを有するプロジェクタ装置の制御方法であって、
前記投射レンズの光路がレンズカバーで遮られているか否かを検出する検出ステップと、
前記光路が遮られていることが検出されると、前記光路がレンズカバーで遮られてからの経過時間を測定する時間測定ステップと、
前記測定された経過時間が所定の時間以上となった場合に電源をオフする電源制御ステップと、
を備えるプロジェクタ装置の制御方法。
【請求項７】
前記測定された経過時間が所定の時間以上となった場合に、ユーザに通知する通知ステップを更に備える請求項６に記載のプロジェクタ装置の制御方法。
【発明の詳細な説明】
【技術分野】
【０００１】
本発明は、プロジェクタ装置及びプロジェクタ装置の制御方法に関する。
【背景技術】
【０００２】
プロジェクタ装置は、映像情報の大画面表示を行う表示機器である。プロジェクタ装置では、高圧水銀ランプ等の光源が発する光を液晶パネル等の変調手段を用いて変調し、投射レンズによってスクリーンに投射する。投射レンズは傷つきやすく汚れやすいため、レンズカバーを用いて傷や汚れから保護する。
【０００３】
映像の投射は、レンズカバーを開いた状態で行われる。ユーザが映像の投射を中断したい場合には、当該レンズカバーを閉めて投射レンズから投射される光学像を遮断することがある。このとき光源ランプが発光を続けていると、レンズカバーには投射レンズからの光が照射され続ける。このため、照射光によってレンズカバーが高温になってしまい、レンズカバーが溶解して変形してしまうことがある。
【０００４】
特許文献１に記載のプロジェクタでは、投射レンズにレンズキャップが装着されると、変調手段が光源ランプからの光を遮光または減光するように変調し、レンズキャップの溶解を防止している。
【特許文献１】特開２００４−２４５９８６号公報（段落００３６、第４図）
【発明の開示】
【発明が解決しようとする課題】
【０００５】
上述のようなプロジェクタ装置では、投射レンズにレンズカバーを装着すると、光源ランプ自体は発光を続けているが、光源ランプからの光は遮られて、スクリーンには映像が投影されない。このため、ユーザが映像投射を中断した後に他の作業を行ったりすると、プロジェクタ装置に電源が入ったまま、投射を中断しているということを忘れてしまうことがある。プロジェクタ装置の電源が入ったままであることをユーザが忘れてしまっても、光源ランプは発光を続けているため、ランプの発熱によってレンズカバーの温度が上昇して、レンズカバーが変形してしまうことがある。また、電源の切り忘れは、無駄な電力の消費と、ランプ寿命を短くしてしまうことにもつながる。
【０００６】
本発明は、前記のような問題に鑑みなされたもので、レンズカバーの高温化を防止するプロジェクタ装置及びプロジェクタ装置の制御方法を提供することを目的とする。
【課題を解決するための手段】
【０００７】
本発明に係るプロジェクタ装置は、光源からの光を映像信号に応じて変調する光変調手段と、前記光変調手段から出射される光学像を投射する投射レンズと、前記投射レンズの光路がレンズカバーで遮られているか否かを検出する検出手段と、前記光路が遮られていることを前記検出手段が検出すると、前記光路がレンズカバーで遮られてからの経過時間を測定する時間測定手段と、前記時間測定手段が測定する経過時間が所定の時間以上となった場合に電源をオフする電源制御手段とを備える。
【発明の効果】
【０００８】
本発明によれば、投射レンズの光路がレンズカバーで遮られていることが検出手段によって検出されると、光路がレンズカバーで遮られてからの経過時間を時間測定手段が測定し、測定された経過時間が所定の時間以上となった場合に、電源制御手段が電源をオフにする。従ってレンズカバーの温度上昇を防ぐことができる。
【発明を実施するための最良の形態】
【０００９】
以下、図面を参照して本発明によるプロジェクタ装置の実施形態を説明する。
【００１０】
図１はレンズカバーが開いている状態での、本発明によるプロジェクタ装置１の外観を示す図である。プロジェクタ装置１の上面には操作部１０が設けられている。操作部１０は、電源ボタンや各種機能ボタン等を備えている。投射レンズ２０は、プロジェクタ装置１の前面に配置されている。プロジェクタ装置１に入力する映像信号に応じた光学映像が投射レンズ２０から照射され、スクリーンに投射される。
【００１１】
図２はレンズカバーが閉じている状態での、本発明によるプロジェクタ装置１の外観を示す図である。レンズカバー２１は横方向にスライドして投射レンズ２０の前方を覆い、投射レンズ２０を保護する。
【００１２】
図３はプロジェクタ装置１の電気的構成を示すブロック図である。
【００１３】
操作部１０は、電源ボタンや各種機能ボタン等を備えている。ユーザは、この操作部１０を操作して、システム制御部１１に操作指示を送ることができる。
【００１４】
システム制御部１１は、図示しないＲＯＭやＲＡＭ等の記憶装置や、ＣＰＵを備えている。システム制御部１１は、記憶装置に記憶された制御プログラムに従って、プロジェクタ装置１の各部の動作を制御する。システム制御部１１は、タイマ１１ａを内蔵する。タイマ１１ａは、レンズカバー２１が閉じられると起動し、レンズカバー２１が閉じられてからの経過時間を測定する。システム制御部１１は、レンズカバー２１が開くとタイマ１１ａの駆動を停止する。
【００１５】
信号入力部１２はビデオ端子、Ｓビデオ端子、ＤＶＩ−Ｉ端子、Ｄ−ｓｕｂ端子等の複数系統の映像信号入力端子を有している。信号入力部１２には、これらの映像信号入力端子を介して、ＲＧＢ信号、ビデオ信号、ＰＣからの映像信号、ＤＶＤ等の光ディスク装置からの映像信号等の映像信号が入力する。信号入力部１２に入力した映像信号は、信号処理部１３に送られる。信号処理部１３は、入力した映像信号に所定の信号処理を行い、光学エンジン１８の表示素子に合わせた形式の映像信号に変換する。
【００１６】
レンズカバー２１が閉まってから所定時間が過ぎると、システム制御部１１の制御に従ってブザー１４が警告音を発生させユーザに注意を促す。
【００１７】
ランプ駆動部１５は、ランプ１６を駆動するためのランプ電源回路を備えている。ランプ駆動部１５は、システム制御部１１の制御に従い、ランプ１６を駆動する。ランプ１６は光を発光し、発光した光を光学エンジン１８に照射する。ランプ１６は、例えば高圧水銀ランプ等のランプである。
【００１８】
光学エンジン駆動部１７は、システム制御部１１の制御に従って光学エンジン１８を駆動する。光学エンジン１８の投射方式としては、例えば３ＬＣＤ方式が採用される。３ＬＤＣ方式の光学エンジンには、表示素子として３枚の液晶パネルが使用される。ランプ１６から照射された光は、ダイクロイックミラーによって赤、緑、青の３色に分離される。分離された各色の光は、色に応じた液晶パネルに入射する。光学エンジン駆動部１７は、入力映像信号に応じて、各液晶パネルに入射する光の透過率及び反射率を制御する。分離されたＲＧＢ光はダイクロイックプリズムによって再び合成されて射出され、投射レンズ２０によってスクリーンに投影される。
【００１９】
レンズカバー２１は投射レンズ２０の前面を覆い、投射レンズ２０を保護する。開閉検出回路２２は、レンズカバー２１の開閉を検出する機能を有する。ユーザがレンズカバー２１を開くと、開閉検出回路２２は開放検出信号をシステム制御部１１に送る。
【００２０】
電源ユニット３０は、プロジェクタ装置１の各部の駆動に必要な電力をシステム制御部１１に供給する。電源ユニット３０はランプ駆動部１５にも電力を供給する。電源ユニット３０は、プロジェクタ装置１に内蔵されていてもよいが、プロジェクタ装置１の外部に設けられ、電力端子を介して電力を供給するようにしてもよい。
【００２１】
ユーザは映像の投射を一時的に中断するために、レンズカバー２１を閉めて投射レンズ２０の光路を遮り、投射レンズ２０から投射される光学映像を遮断することがある。このとき、ランプ１６が発光を続けていると、レンズカバー２１には投射レンズ２０を介して光が照射され続ける。このためレンズカバー２１が高温になってしまい、当該レンズカバー２１が溶解して変形してしまうことがある。
【００２２】
本実施形態では、ユーザがレンズカバー２１を閉めたまま電源を切り忘れることを防止するため、レンズカバー２１が閉じられてから所定の時間が経過すると、電源ユニット３０からの電力の供給を止め、プロジェクタ装置１の電源を自動的に切る。
【００２３】
次に、前記構成によるプロジェクタ装置１の動作について説明する。図４はプロジェクタ装置１において実行される処理を示すフローチャートである。
【００２４】
プロジェクタ装置１が起動すると、システム制御部１１はレンズカバー２１が開いているか否かを判断する（ブロックＢ１）。
【００２５】
レンズカバー２１が開いていると、開閉検出回路２２はシステム制御部１１に開放検出信号を送信する。システム制御部１１は、開閉検出回路２２から送られた開放検出信号を受信すると、レンズカバー２１が開いていると判断する（ブロックＢ１でＹＥＳ）。
【００２６】
レンズカバー２１が開いていると判断されると（ブロックＢ１でＹＥＳ）、システム制御部１１は、タイマ１１ａが動作中であるか否かを判断する（ブロックＢ２）。
【００２７】
タイマ１１ａは、レンズカバー２１が閉まると計時動作を開始し、レンズカバー２１が閉まってからの経過時間を測定するものである。すなわち、閉まっていたレンズカバー２１が開放された直後であれば、タイマ１１ａは動作中であると判断される（ブロックＢ２でＹＥＳ）。
【００２８】
タイマ１１ａが動作中であると判断されると（ブロックＢ２でＹＥＳ）、システム制御部１１はタイマ１１ａの動作を停止する（ブロックＢ３）。タイマ１１ａが動作中でないと判断された場合（ブロックＢ２でＮＯ）、ブロックＢ４の処理に進む。
【００２９】
続いて、光学エンジン駆動部１７は、システム制御部１１の制御に基づいて光学エンジン１８を駆動し、ランプ１６が発光する光を入力映像信号に応じて変調する（ブロックＢ４）。入力映像信号に応じたカラー映像が、投射レンズ２０を介してスクリーンに投影され、ブロックＢ１の処理に戻る。
【００３０】
開閉検出回路２２から開放検出信号が送信されない場合、システム制御部１１はレンズカバー２１が閉じていると判断する（ブロックＢ１でＮＯ）。システム制御部１１は、内蔵するタイマ１１ａが動作中であるか否かを判断する（ブロックＢ６）。
【００３１】
レンズカバー２１が閉じられた直後であれば、システム制御部１１はタイマ１１ａが動作中ではないと判断し（ブロックＢ６でＮＯ）、タイマ１１ａを起動させる（ブロックＢ７）。システム制御部１１は、ブザー１４に警告音を発生させ（ブロックＢ１２）、ブロックＢ１の処理に戻る。
【００３２】
一方、タイマ１１ａがすでに起動していて、計時動作を実行中である場合は（ブロックＢ６でＹＥＳ）、タイマ１１ａによって測定された、レンズカバー２１が閉じられてから（タイマ１１ａが起動してから）の経過時間が、所定時間（例えば３０分）を越えたか否かを判断する（ブロックＢ８）。
【００３３】
レンズカバー２１が閉じられてから（タイマ１１ａが起動してから）の経過時間が所定時間を越えていない場合は（ブロックＢ８でＮＯ）、ブロックＢ１の処理に戻る。
【００３４】
この後、ユーザがレンズカバー２１を開けると（ブロックＢ１でＹＥＳ）、タイマ１１ａは動作中であるため（ブロックＢ２でＹＥＳ）、システム制御部１１はタイマ１１ａの計時動作を停止する（ブロックＢ３）。その後、システム制御部１１は、入力映像信号に応じた光変調を光学エンジン１８に行わせる（ブロックＢ４）。投射レンズ２０からは、入力映像信号に応じたカラー映像が投射される。
【００３５】
レンズカバー２１が閉じられてから（タイマ１１ａが計時動作を開始してから）所定時間（例えば３０分）が経過している場合は（ブロックＢ８でＹＥＳ）、システム制御部１１はブザー１４に警告音を発生させる（ブロックＢ９）。警告音の発生により、ユーザには、レンズカバー２１が閉じられてから所定時間が経過したことが通知される。映像の投射を中止したままユーザが他の作業を行っている場合であっても、ブザー１４が発生する警告音によって、ユーザはプロジェクタ装置１の電源が入ったままであることに気付くことができる。
【００３６】
ここでユーザがレンズカバー２１を開けると（ブロックＢ１０でＹＥＳ）、ブロックＢ１の処理に戻る。レンズカバー２１の開放が検出され（ブロックＢ１でＹＥＳ）、タイマ１１ａは動作中であるため（ブロックＢ２でＹＥＳ）、システム制御部１１はタイマ１１ａの計時動作を停止する（ブロックＢ３）。その後、システム制御部１１は、入力映像信号に応じた光変調を光学エンジン１８に行わせる（ブロックＢ４）。投射レンズ２０からは、入力映像信号に応じたカラー映像が投射される。
【００３７】
警告音が発生しても、レンズカバー２１が閉じられたままであれば（ブロックＢ１０でＮＯ）、電源ユニット３０からの電力の供給を止め（ブロックＢ１１）、プロジェクタ装置１の電源はオフになる。すなわち、レンズカバー２１が閉じられてから所定時間内にユーザがレンズカバー２１を開けなかった場合は、ユーザはプロジェクタ装置１の使用を終了したと見なし、プロジェクタ装置１の電源が切れる。
【００３８】
ユーザは、ブザー１４が発生する警告音によって、レンズカバー２１が閉じられてから所定時間が経過したことに気付くことができる。ユーザが映像の投射を再開したい場合には、レンズカバー２１を開くだけで映像投射を再開できる。また、ユーザがプロジェクタ装置１の電源をそのまま切ってもよいと判断した場合、あるいはユーザがプロジェクタ装置１の電源が入ったままなのを忘れて当該プロジェクタ装置１から離れており、警告音に気付かなかった場合等には、プロジェクタ装置１の電源は切れる。このため、レンズカバー２１の高温化と不要な電力消費を抑制することができる。
【００３９】
以上のように、本実施形態においては、開閉検出回路２２はレンズカバー２１の開閉を検出する。レンズカバー２１が閉められてから所定時間が経過すると、ブザー１４が警告音を発する。ユーザが映像投射を中断したことを忘れている場合であっても、警告音によって注意を促すことができる。警告音を聞いたユーザがレンズカバー２１を開けると、映像の投射が再開される。ブザー１４が警告音を発しても、レンズカバー２１の開放がない場合には、電源ユニット３０からの電力の供給が止まり、プロジェクタ装置１の電源が落とされる。すなわち、ユーザが映像投射を中断したままプロジェクタ装置１の電源を切り忘れたような場合であっても、所定時間が経過すればプロジェクタ装置１の電源は自動的にオフになる。このため、レンズカバー２１の高温化を防ぎ、不要な電力消費を抑制することができる。
【００４０】
本実施形態においては、レンズカバー２１が閉じられてから所定の時間が経過したら、ブザー１４に警告音を発生させて、ユーザに注意を促した。しかしながら、ユーザに注意を促す方法は、警告音の発生でなくてもよい。操作部１３にＬＥＤランプ等を配置して、このＬＥＤランプを発光（または点滅）させる等してもよい。
【００４１】
本実施形態においては、レンズカバー２１が閉じられた直後には（ブロックＢ６でＮＯ）、タイマ１１ａを起動させ（ブロックＢ７）、ブザー１４に警告音を発生させた（ブロックＢ１２）。このようにして、レンズカバー２１が閉まったことをユーザに通知することができる。ユーザの意図に反してレンズカバー２１が閉まった場合に、ブザー１４が発生する警告音によって、ユーザに注意を促すことができる。ここで発生する警告音は、ブロックＢ９で発生する警告音と同じ音でもよいが、異なる音となるようにしてもよい。あるいは、操作部１３にＬＥＤランプ等を配置して、このＬＥＤランプを発光（または点滅）させる等してもよい。
【００４２】
本実施の形態では、レンズカバー２１が所定の時間（例えば３０分）閉められたままであれば、電源ユニット３０からシステム制御部１１及びランプ駆動部１５への電力の供給が止まり、プロジェクタ装置１の電源が切れた。しかしながら、電源ユニット３０からランプ駆動部１５に供給される電力だけを止め、システム制御部１１への電力供給は維持されてもよい。あるいは、レンズカバー２１が第１の所定時間（例えば１０分）閉まったままなら、ランプ駆動部１５に供給される電力を止めてもよい。その後、レンズカバーが第２の所定時間（例えば２０分）閉まったままなら、プロジェクタ装置１の電源を自動的に切るようにしてもよい。第１の所定時間が経過したらランプ電力が低下するので、電力消費を抑制できる。
【００４３】
本実施の形態では、レンズカバー２１は横にスライドして投射レンズ２０の光路を遮るものとして説明したが、レンズカバー２１は上下に開閉するものでもよい。また、レンズカバー２１は投射レンズ２０に装着されてもよい。レンズカバー２１は、投射レンズ２０の光路を遮るものであれば、どのような形態であってもよい。
【００４４】
本実施形態において、ランプ１６は超高圧水銀ランプであるとしたが、他のランプであってもよい。また、光学エンジン１８の投影方式は３ＬＣＤ方式であるとしたが、ＤＬＰ（登録商標）方式やＬＣＯＳ方式等の他の投影方式であってもよい。
【００４５】
本願発明は、前記実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、１つの実施形態に示される全構成要件から幾つかの構成要件が削除されたり、幾つかの実施形態に示される構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【図面の簡単な説明】
【００４６】
【図１】レンズカバーが開いている状態での、本発明によるプロジェクタ装置の外観を示す図。
【図２】レンズカバーが閉じている状態での、本発明によるプロジェクタ装置の外観を示す図。
【図３】本発明によるプロジェクタ装置の電気的構成を示すブロック図。
【図４】前記プロジェクタ装置において実行される処理を示すフローチャート。
【符号の説明】
【００４７】
１…プロジェクタ装置、１０…操作部、１１…システム制御部、１１ａ…タイマ、１２…信号入力部、１３…信号処理部、１４…ブザー、１５…ランプ駆動部、１６…ランプ、１７…光学エンジン駆動部、１８…光学エンジン、２０…投射レンズ、２１…レンズカバー、２２…開閉検出回路、３０…電源ユニット。
【図１】
2009042677.tif 000003
【図２】
2009042677.tif 000004
【図３】
2009042677.tif 000005
【図４】
2009042677.tif 000006